(57)【要約】【課題】アジロミシン装置及び折り装置並びに印刷機において、作業性の向上を図る。【解決手段】外周部に周方向に沿って断続的な刃を有するアジロ刃４１を第１支持軸４５により回転自在に支持すると共に、外周部に周方向に沿ってアジロ刃４１に対向する受け溝５９を有するアジロ刃受５５を第１支持軸４５と平行な第２支持軸５１により回転自在に支持し、このアジロ刃受５５を、受け溝５９がアジロ刃４１に対向する刃受位置と、受け溝５９がアジロ刃４１から離間する待機位置とに移動自在に支持する。【選択図】      図１
2008297102.tif 000002
【特許請求の範囲】
【請求項１】
折機により折り畳まれた折帳の背面側に断続的な切れ目を入れるアジロミシン装置において、第１支持軸により回転自在に支持されると共に外周部に周方向に沿って断続的な刃を有するアジロ刃と、前記第１支持軸と平行な第２支持軸により回転自在に支持されると共に外周部に周方向に沿って前記アジロ刃に対向する受け溝を有するアジロ刃受を有し、前記アジロ刃受は、前記第２支持軸の軸方向に対して、前記受け溝が前記アジロ刃に対向する刃受位置と、前記受け溝が前記アジロ刃から離間する待機位置に移動自在に支持されることを特徴とするアジロミシン装置。
【請求項２】
請求項１に記載のアジロミシン装置において、前記アジロ刃は、前記第１支持軸の径方向に対して、前記受け溝に入り込む加工位置と該受け溝から離間する待機位置に移動自在に支持されることを特徴とするアジロミシン装置。
【請求項３】
請求項１または２に記載のアジロミシン装置において、前記アジロ刃受を前記刃受位置に位置決めするストッパが設けられることを特徴とするアジロミシン装置。
【請求項４】
請求項３に記載のアジロミシン装置において、前記第２支持軸に前記ストッパを有する支持部材が着脱自在に装着されると共に、該支持部材に隣接して前記アジロ刃受が移動自在に支持され、前記支持部材が前記第２支持軸に装着された状態で、前記アジロ刃受を前記ストッパに当接した位置に固定することで、該アジロ刃受が前記刃受位置に位置決めされることを特徴とするアジロミシン装置。
【請求項５】
請求項１から４のいずれか一つに記載のアジロミシン装置において、前記アジロ刃受は、２つの半円形状をなすリング部材からなり、該各リング部材が前記第２支持軸の外周部を囲繞するように連結され、固定部材により前記第２支持軸における前記刃受位置または前記待機位置に固定されることを特徴とするアジロミシン装置。
【請求項６】
印刷用紙の搬送方向に沿って糊付け装置とアジロミシン装置と折胴及び鋸胴が配置された折り装置において、前記アジロミシン装置は、折帳の背面側に断続的な切れ目を入れることが可能であり、第１支持軸により回転自在に支持されると共に外周部に周方向に沿って断続的な刃を有するアジロ刃と、前記第１支持軸と平行な第２支持軸により回転自在に支持されると共に外周部に周方向に沿って前記アジロ刃に対向する受け溝を有するアジロ刃受を有し、前記アジロ刃受は、前記第２支持軸の軸方向に対して、前記受け溝が前記アジロ刃に対向する刃受位置と、前記受け溝が前記アジロ刃から離間する待機位置に移動自在に支持されることを特徴とする折り装置。
【請求項７】
ウェブを供給する給紙装置と、該給紙装置から供給されたウェブに対して印刷を施す印刷装置と、該印刷装置により印刷が施されたウェブのインキを乾燥する乾燥装置と、該乾燥装置によりインキが乾燥したウェブを裁断して所定の折帳を形成する折り装置と、該折り装置により折り畳まれた印刷物を排出する排紙装置を具えた印刷機において、前記折り装置は、第１支持軸により回転自在に支持されると共に外周部に周方向に沿って断続的な刃を有するアジロ刃と、前記第１支持軸と平行な第２支持軸により回転自在に支持されると共に外周部に周方向に沿って前記アジロ刃に対向する受け溝を有するアジロ刃受を有し、折帳の背面側に断続的な切れ目を入れるアジロミシン装置を設け、前記アジロ刃受は、前記第２支持軸の軸方向に対して、前記受け溝が前記アジロ刃に対向する刃受位置と、前記受け溝が前記アジロ刃から離間する待機位置に移動自在に支持されることを特徴とする印刷機。
【発明の詳細な説明】
【技術分野】
【０００１】
本発明は、アジロ綴じを行うための折帳を作成するときに、輪転印刷機の折り装置で折帳の背となる部分に断続的な切れ目を入れるアジロミシン装置、並びに、このアジロミシン装置を有する折り装置、この折装置を有する印刷機に関するものである。
【背景技術】
【０００２】
一般に、オフセット輪転印刷機は、給紙装置とインフィード装置と印刷装置と乾燥装置と冷却装置とウェブパス装置と折り装置と排紙装置とから構成されている。給紙装置は、２つの巻取体（ウェブロール）が装着されるリールスタンドを有しており、一方の巻取体から引き出されて走行しているウェブを、他方の巻取体のウェブに接続することで、連続的にウェブを供給可能な印刷機を有している。インフィード装置は、給紙装置の巻取体から引き出されたウェブを所定の速度で印刷装置に供給するものである。印刷装置は、一般的にブラック、シアン、マゼンダ、イエローの４色それぞれに対応した４組の印刷ユニットがウェブ走行方向に沿って並設されている。乾燥装置は、印刷装置により印刷が施されたウェブ上のインキを乾燥させるためのものであり、冷却装置は、乾燥装置での乾燥後の過剰な熱を蓄えるウェブを適当な温度まで冷却するものである。ウェブパス装置は、乾燥されて冷却されたウェブを搬送するものであり、折り装置は、ウェブを縦折りされた後に裁断し、所定の大きさに折り畳んで折帳を形成するものであり、排紙装置は、折り畳まれた折帳を機外へ搬出するものである。
【０００３】
従って、給紙装置により巻取体からロール状のウェブが引き出され、このウェブがインフィード装置により所定の速度で印刷装置に供給され、この印刷装置における各印刷ユニットにより多色印刷が施され、印刷されたウェブは、乾燥装置でインキが乾燥され、冷却装置で冷却され、ウェブパス装置を経て搬送された折り装置により折帳が作成され、排紙装置により搬出される。
【０００４】
このようなオフセット輪転印刷機にて、折り装置では、アジロ綴じを行うための折帳を作成するとき、折り装置で折帳の背となる部分に断続的な切れ目を付けるアジロミシン装置が設けられている。このアジロミシン装置は、折帳の背側に配置されて外周部に周方向に沿って多数の刃が設けられた回転自在なアジロ刃と、このアジロ刃と対向して配置されて外周部にアジロ刃の刃先が係合する受け溝が設けられたアジロ刃受とから構成されている。
【０００５】
従って、折り装置で縦折された折帳は、アジロミシン装置にて、互いに回転するアジロ刃とアジロ刃受との間を挿通することで、折帳の背側に断続的な切れ目を入れられる。
【０００６】
このようなアジロミシン装置としては、例えば、下記特許文献１に記載されたものがある。この特許文献１の記載されたアジロミシン装置は、折畳装置の折畳胴群の下流側で、且つ、チョッパー折り手段の上流側に、外周に断続的な切り刃を有するアジロ刃とこの切り刃を受け入れる切り刃受け部とからなり、折帳にアジロとじ用切れ目を形成可能に設けたものである。
【０００７】
【特許文献１】特開２００４−２３８１７４号公報
【発明の開示】
【発明が解決しようとする課題】
【０００８】
ところで、上述した従来のアジロミシン装置により背側に断続的な切れ目を入れられた折帳は、製本のときに、この切れ目に糊を付け、折帳の重なり合った各紙をこの切れ目から入り込む糊により貼り付けて一体にすると共に、各折帳の走行方向に付けられた切れ目に沿って折り畳んで重ね合わせたときに、折帳の切れ目が一線に揃うことにより糊が連続し、重ね合わせた複数の折帳を繋ぎ合わせて一体にしている。
【０００９】
ところが、折帳が数枚の紙からなる薄いものであるとき、アジロミシン装置を用いて折帳の背側に断続的な切れ目を入れず、糊をつけて折り重ねたものを折帳とし、製本のときに、各折帳の走行方向に沿って切れ目を入れ、この切れ目に沿って折り畳んで重ね合わせたときに、切れ目から入り込む糊により貼り付けて一体にしている。
【００１０】
そのため、オフセット輪転印刷機の折り装置では、アジロミシン装置の上流側に糊付け装置を設けることが望ましい。しかし、この構成では、糊付けされた折帳が、アジロミシン装置におけるアジロ刃とアジロ刃受との間を通過するとき、糊がアジロ刃やアジロ刃受の受け溝に付着してしまう。すると、糊付けの不要な折帳がこのアジロ刃とアジロ刃受との間に挿通して切れ目を入れるとき、アジロ刃やアジロ刃受の受け溝に付着した糊により折帳に適正な切れ目を入れることができない。そのため、アジロミシン装置を事前に掃除して付着した糊を取り除いたり、糊付けされた折帳が搬送されるときは、アジロ刃及びアジロ刃受を取外したりしている。しかし、印刷作業の途中で掃除を行うことは面倒であり、また、アジロ刃及びアジロ刃受を取外した場合には、その取付時に位置決めが面倒であり、作業性が悪化して印刷作業効率が低下してしまうという問題がある。
【００１１】
本発明は上述した課題を解決するものであり、作業性の向上を図ったアジロミシン装置及び折り装置並びに印刷機を提供することを目的とする。
【課題を解決するための手段】
【００１２】
上記の目的を達成するための請求項１の発明のアジロミシン装置は、折機により折り畳まれた折帳の背面側に断続的な切れ目を入れるアジロミシン装置において、第１支持軸により回転自在に支持されると共に外周部に周方向に沿って断続的な刃を有するアジロ刃と、前記第１支持軸と平行な第２支持軸により回転自在に支持されると共に外周部に周方向に沿って前記アジロ刃に対向する受け溝を有するアジロ刃受を有し、前記アジロ刃受は、前記第２支持軸の軸方向に対して、前記受け溝が前記アジロ刃に対向する刃受位置と、前記受け溝が前記アジロ刃から離間する待機位置に移動自在に支持されることを特徴とするものである。
【００１３】
請求項２の発明のアジロミシン装置では、前記アジロ刃は、前記第１支持軸の径方向に対して、前記受け溝に入り込む加工位置と該受け溝から離間する待機位置に移動自在に支持されることを特徴としている。
【００１４】
請求項３の発明のアジロミシン装置では、前記アジロ刃受を前記刃受位置に位置決めするストッパが設けられることを特徴としている。
【００１５】
請求項４の発明のアジロミシン装置では、前記第２支持軸に前記ストッパを有する支持部材が着脱自在に装着されると共に、該支持部材に隣接して前記アジロ刃受が移動自在に支持され、前記支持部材が前記第２支持軸に装着された状態で、前記アジロ刃受を前記ストッパに当接した位置に固定することで、該アジロ刃受が前記刃受位置に位置決めされることを特徴としている。
【００１６】
請求項５の発明のアジロミシン装置では、前記アジロ刃受は、２つの半円形状をなすリング部材からなり、該各リング部材が前記第２支持軸の外周部を囲繞するように連結され、固定部材により前記第２支持軸における前記刃受位置または前記待機位置に固定されることを特徴としている。
【００１７】
また、請求項６の発明の折り装置は、印刷用紙の搬送方向に沿って糊付け装置とアジロミシン装置と折胴及び鋸胴が配置された折り装置において、前記アジロミシン装置は、折帳の背面側に断続的な切れ目を入れることが可能であり、第１支持軸により回転自在に支持されると共に外周部に周方向に沿って断続的な刃を有するアジロ刃と、前記第１支持軸と平行な第２支持軸により回転自在に支持されると共に外周部に周方向に沿って前記アジロ刃に対向する受け溝を有するアジロ刃受を有し、前記アジロ刃受は、前記第２支持軸の軸方向に対して、前記受け溝が前記アジロ刃に対向する刃受位置と、前記受け溝が前記アジロ刃から離間する待機位置に移動自在に支持されることを特徴とするものである。
【００１８】
また、請求項７の発明の印刷機は、ウェブを供給する給紙装置と、該給紙装置から供給されたウェブに対して印刷を施す印刷装置と、該印刷装置により印刷が施されたウェブのインキを乾燥する乾燥装置と、該乾燥装置によりインキが乾燥したウェブを裁断して所定の折帳を形成する折り装置と、該折り装置により折り畳まれた印刷物を排出する排紙装置を具えた印刷機において、前記折り装置は、第１支持軸により回転自在に支持されると共に外周部に周方向に沿って断続的な刃を有するアジロ刃と、前記第１支持軸と平行な第２支持軸により回転自在に支持されると共に外周部に周方向に沿って前記アジロ刃に対向する受け溝を有するアジロ刃受を有し、折帳の背面側に断続的な切れ目を入れるアジロミシン装置を設け、前記アジロ刃受は、前記第２支持軸の軸方向に対して、前記受け溝が前記アジロ刃に対向する刃受位置と、前記受け溝が前記アジロ刃から離間する待機位置に移動自在に支持されることを特徴とするものである。
【発明の効果】
【００１９】
請求項１の発明のアジロミシン装置によれば、外周部に周方向に沿って断続的な刃を有するアジロ刃と、外周部に周方向に沿ってアジロ刃に対向する受け溝を有するアジロ刃受を設け、アジロ刃受を、受け溝がアジロ刃に対向する刃受位置と、受け溝がアジロ刃から離間する待機位置とに移動自在に支持したので、使用時には、アジロ刃受を刃受位置に移動することで、受け溝がアジロ刃に対向する位置となり、折帳は、アジロ刃とアジロ刃受との間を通過するとき、アジロ刃によりその背面側に断続的な切れ目が入れられる一方、不使用時には、アジロ刃受を待機位置に移動することで、受け溝がアジロ刃から離間する位置となり、例えば、折帳に付着した糊によりアジロ刃受の受け溝が汚れることがなく、掃除などを不要として作業性を向上することができる。
【００２０】
請求項２の発明のアジロミシン装置によれば、アジロ刃を、第１支持軸の径方向に対して、受け溝に入り込む加工位置と受け溝から離間する待機位置に移動自在に支持するので、使用時には、アジロ刃を加工位置に移動することで、アジロ刃が受け溝に入り込む位置となり、折帳は、アジロ刃とアジロ刃受との間を通過するとき、アジロ刃によりその背面側に断続的な切れ目が入れられる一方、不使用時には、アジロ刃を待機位置に移動することで、アジロ刃が受け溝から離間する位置となり、例えば、折帳に付着した糊によりアジロ刃が汚れることがなく、掃除などを不要として作業性を向上することができる。
【００２１】
請求項３の発明のアジロミシン装置によれば、アジロ刃受を刃受位置に位置決めするストッパを設けるので、アジロ刃受を待機位置から刃受位置に移動するとき、ストッパに当接する位置に固定するだけで容易に位置決めが可能となる。
【００２２】
請求項４の発明のアジロミシン装置によれば、第２支持軸にストッパを有する支持部材を着脱自在に装着すると共に、支持部材に隣接してアジロ刃受を移動自在に支持し、支持部材を第２支持軸に装着した状態で、アジロ刃受をストッパに当接した位置に固定することで、アジロ刃受を刃受位置に位置決めするので、アジロ刃受のストッパを支持部材に設けて第２支持軸に着脱自在としたことで、この支持部材を交換するだけでアジロ刃受における刃受位置を容易に変更することができ、多種の折り作業に応じて汎用性を向上することができる。
【００２３】
請求項５の発明のアジロミシン装置によれば、アジロ刃受を２つの半円形状をなすリング部材から構成し、各リング部材が第２支持軸の外周部を囲繞するように連結し、固定部材により第２支持軸における刃受位置または待機位置に固定するので、アジロ刃受の構造の簡素化及び第２支持軸への取付性を向上することができる。
【００２４】
また、請求項６の発明の折り装置によれば、印刷用紙の搬送方向に沿って糊付け装置とアジロミシン装置と折胴及び鋸胴を配置し、アジロミシン装置として、外周部に周方向に沿って断続的な刃を有するアジロ刃と、外周部に周方向に沿ってアジロ刃に対向する受け溝を有するアジロ刃受を設け、アジロ刃受を、受け溝がアジロ刃に対向する刃受位置と、受け溝がアジロ刃から離間する待機位置とに移動自在に支持したので、使用時には、アジロミシン装置のアジロ刃受を刃受位置に移動することで、受け溝がアジロ刃に対向する位置となり、折帳は、アジロ刃とアジロ刃受との間を通過するとき、アジロ刃によりその背面側に断続的な切れ目が入れられる一方、不使用時には、アジロ刃受を待機位置に移動することで、受け溝がアジロ刃から離間する位置となり、例えば、折帳に付着した糊によりアジロ刃受の受け溝が汚れることがなく、掃除などを不要として折り作業における作業性を向上することができる。
【００２５】
また、請求項７の発明の印刷機によれば、給紙装置と印刷装置と乾燥装置と折り装置と排紙装置を有し、折り装置に、外周部に周方向に沿って断続的な刃を有するアジロ刃と、外周部に周方向に沿ってアジロ刃に対向する受け溝を有するアジロ刃受を有するアジロミシン装置を設け、アジロ刃受を、受け溝がアジロ刃に対向する刃受位置と、受け溝がアジロ刃から離間する待機位置とに移動自在に支持したので、使用時には、アジロミシン装置のアジロ刃受を刃受位置に移動することで、受け溝がアジロ刃に対向する位置となり、折帳は、アジロ刃とアジロ刃受との間を通過するとき、アジロ刃によりその背面側に断続的な切れ目が入れられる一方、不使用時には、アジロ刃受を待機位置に移動することで、受け溝がアジロ刃から離間する位置となり、例えば、折帳に付着した糊によりアジロ刃受の受け溝が汚れることがなく、掃除などを不要として印刷作業における作業性を向上することができる。
【発明を実施するための最良の形態】
【００２６】
以下に添付図面を参照して、本発明に係るアジロミシン装置、折り装置、印刷機の好適な実施例を詳細に説明する。なお、この実施例により本発明が限定されるものではない。
【実施例】
【００２７】
図１は、本発明の一実施例に係るアジロミシン装置を表す概略図、図２は、本実施例のアジロミシン装置におけるアジロ刃及びアジロ刃受の平面図、図３は、図２のIII−III断面図、図４は、本実施例のアジロミシン装置における待機位置に移動したアジロ刃及びアジロ刃受の平面図、図５は、本実施例のアジロミシン装置が適用されたオフセット輪転印刷機を表す概略図、図６は、本実施例のアジロミシン装置が適用された折り装置を表す概略図である。
【００２８】
本実施例の印刷機は、オフセット輪転印刷機であって、図５に示すように、給紙装置１１と、インフィード装置１２と、印刷装置１３と、乾燥装置１４と、冷却装置１５と、ウェブパス装置１６と、折り装置１７と、排紙装置１８とから構成されている。
【００２９】
給紙装置１１は、２つの巻取体（ウェブロール）が装着されるリールスタンドを有しており、一方の巻取体から引き出されて走行しているウェブを、他方の巻取体のウェブに接続することで、連続的にウェブを供給可能となっている。インフィード装置１２は、給紙装置１１のウェブを印刷装置１３側に供給するものである。印刷装置１３は、４つのインキ色である藍（Cyan）、紅（Magenta）、黄（yellow）、墨（Black）ごとの４個の印刷ユニット２１，２２，２３，２４がウェブ走行方向に沿って並設されて構成されている。乾燥装置１４は、印刷装置１３により印刷が施されたウェブ上のインキを乾燥させるためのものであり、冷却装置１５は、乾燥装置１４での乾燥後の過剰な熱を蓄えるウェブを適当な温度まで冷却するものである。ウェブパス装置１６は、乾燥されて冷却されたウェブを搬送するものであり、折り装置１７は、ウェブを縦折りされた後に裁断し、所定の大きさに折り畳んで折帳を形成するものであり、排紙装置１８は、折り畳まれた折帳を機外へ搬出するものである。
【００３０】
従って、給紙装置１１により巻取体からロール状のウェブＷが引き出され、インフィード装置１２により印刷装置１３に供給され、この印刷装置１３にて、各印刷ユニット２１，２２，２３，２４により多色印刷が施され、印刷されたウェブＷは、乾燥装置１４でインキが乾燥され、冷却装置１５で冷却され、ウェブパス装置１６を経て搬送された折り装置１７により折帳が作成され、排紙装置１８により搬出される。
【００３１】
また、本実施例のオフセット輪転印刷機における折り装置１７において、図６に示すように、最上部には、ウェブＷを縦折りするフォーマ（三角板）３１が設けられ、このフォーマ３１の下方には、一対のリードインローラ３２、ガイドローラ３３，３４が設けられている。そして、リードインローラ３２とガイドローラ３３との間に糊付け装置３５が設けられ、各ガイドローラ３３，３４の間にアジロミシン装置３６が設けられている。糊付け装置３５は、フォーマ３１により縦折りされた折帳としてのウェブＷの背側に糊を噴射して付着させるものである。アジロミシン装置３６は、フォーマ３１により縦折りされた折帳としてのウェブＷの背側に断続的に切れ目を入れるものである。なお、アジロミシン装置３６と同軸上にニッピングローラが設けられている。
【００３２】
また、アジロミシン装置３６の下方には、一対のニッピングローラ３７と鋸胴３８と折胴３９と咥胴４０が順に対接して配設されている。鋸胴３８は、その周面に図示しない鋸刃が設けられており、縦折りされたウェブＷを所定の長さで断裁することができる。折胴３９は、その周面に図示しない針装置が設けられており、この針装置は折胴３９の回転に連動して作動し、所定の位置で針を外方に突出することで、断裁されたウェブＷの走行方向における先端部を保持する一方、所定の位置で針を戻すことで、ウェブＷの先端部の保持を解除することができる。また、折胴３９は、その周面に図示しない差し刃が設けられており、所定の位置で差し刃を外方に突き出すことで、断裁されたウェブＷをその搬送方向における中央部で横折りすることができる。咥胴４０は、その周面に図示しない咥え装置が設けられており、この咥え装置は咥胴４０の回転に連動して作動し、折胴３９の周面から差し刃により突き出されたウェブＷの中央部をこの咥え機構により咥えて横折りすることができる。
【００３３】
従って、ウェブＷは、フォーマ３１により縦折りが施された後、リードインローラ３２によりガイドされて走行するとき、縦折りされたウェブＷの背側に糊付け装置３５により糊付けが施されるか、または、ガイドローラ３３，３４によりガイドされて走行するとき、縦折りされたウェブＷの背側にアジロミシン装置３６により断続的な切れ目が入れられる。その後、ニッピングローラ３７で支持されてから鋸胴３８、折胴３９、咥胴４０に送られる。
【００３４】
縦折りされたウェブＷが鋸胴３８と折胴３９の間に入ると、所定の位置で、針装置が作動して針を外方に突出することで、ウェブＷの先端部を突き刺して保持する。この状態で、折胴３９が回転し続けると、ウェブＷは折胴３９の周面に保持されたまま移動する。そして、所定の位置で、鋸刃によりウェブＷが横裁断される。続いて、針装置が作動して針を戻すことで、ウェブＷの先端部の保持を解除すると共に、差し刃が折胴３９の周面から外方に突出することで、ウェブＷを折胴３９の周面から引き剥がされる。すると、折胴３９の周面から突出したウェブＷは、咥胴４０の咥え機構により咥えられることで折帳が形成される。
【００３５】
ここで、本実施例のオフセット輪転印刷機にて、折り装置１７に設けられたアジロミシン装置について詳細に説明する。
【００３６】
アジロミシン装置３６において、図１及び図６に示すように、アジロ刃４１は、円盤形状をなす回転体４２に、外周部にその周方向に沿って断続的な複数の刃先を有する回転刃４３がボルト４４により固定されて構成されている。このアジロ刃４１は、第１支持軸４５に一体に固定され、一対のフレーム４６に挟持された状態で回転自在に支持されている。そして、この第１支持軸４５の一端部には、駆動歯車４７が一体に固定されており、この駆動歯車４７は伝達歯車４８を介して図示しない駆動モータの出力歯車に駆動連結されている。また、このアジロ刃４１は、エアシリンダ４９により第１支持軸４５の径方向に沿って移動可能であり、図２に詳細に示すように、アジロ刃４１が後述するアジロ刃受５５の受け溝５９に入り込む、つまり、搬送されるウェブＷに対して切れ目を入れる加工位置と、図４に詳細に示すように、アジロ刃受５５の受け溝から離間する、つまり、ウェブＷから所定距離離間する待機位置とに移動することができる。
【００３７】
また、図１乃至図３及び図６に示すように、第２支持軸５１は、第１支持軸４５と平行をなすように図示しない左右一対のフレームに回転自在に支持されると共に、図示しない駆動モータにより回転可能となっている。この第２支持軸５１は、左右一対の大径部５２ａ，５２ｂに対して、段付部５３ａ，５３ｂを介して小径部５４が形成されており、この小径部５４にアジロ刃受５５と支持部材５６が装着されている。
【００３８】
アジロ刃受５５は、２つの半円形状をなすリング部材５５ａ，５５ｂからなり、各リング部材５５ａ，５５ｂが第２支持軸５１における小径部５４の外周部を囲繞するように密着し、２つの連結ボルト５７により連結されると共に、固定ボルト（固定部材）５８により小径部５４における所定の位置に着脱自在に固定されている。そして、このアジロ刃受５５は、外周部に周方向に沿ってアジロ刃４１に対向する受け溝５９が形成されている。
【００３９】
一方、支持部材５６は、２つの半円形状をなすリング部材が第２支持軸５１における小径部５４の外周部を囲繞するように密着し、２つの連結ボルト６０により連結されることで、この小径部５４における所定の位置に着脱自在に固定されている。
【００４０】
そして、アジロ刃受５５は、第２支持軸５１の軸方向に対して、受け溝５９がアジロ刃４１に対向する刃受位置と、受け溝５９がアジロ刃から離間する待機位置に移動自在に支持されている。この場合、支持部材５６は、一端面５６ａがアジロ刃受５５を後述する刃受位置に位置決めするストッパとして機能する。即ち、この支持部材５６が第２支持軸５１の小径部５４に固定された状態で、この小径部５４に移動自在に支持されたアジロ刃受５５を支持部材５６に隣接して位置しており、図２に詳細に示すように、このアジロ刃受５５を支持部材５６の一端面（ストッパ）５６ａに当接した位置で固定ボルト５８により固定することで、このアジロ刃受５５を刃受位置に位置決めすることができる。また、図４に詳細に示すように、アジロ刃受５５を段付部５３ａに当接した位置で固定ボルト５８により固定することで、このアジロ刃受５５を待機位置に位置決めすることができる。
【００４１】
従って、糊付け装置３５を使用しないときには、図２に示すように、アジロ刃受５５を支持部材５６の一端面（ストッパ）５６ａに当接し、この位置で固定ボルト５８により固定することで、刃受位置に位置決めすると共に、エアシリンダ４９によりアジロ刃４１を移動することで、アジロ刃４１の刃先が刃受位置にあるアジロ刃受５５の受け溝５９に入り込む加工位置に位置決めする。
【００４２】
この状態で、図６に示すように、図示しない駆動モータにより第１支持軸４５を図６にて時計回り方向に回転する一方、第２支持軸５１を図６にて反時計回り方向に回転する。すると、フォーマ３１により縦折りが施されたウェブＷがアジロミシン装置３６のアジロ刃４１とアジロ刃受５５の間を通過するとき、このウェブＷは、アジロ刃受５５の外周面に支持されながら、背側にアジロ刃４１により断続的な切れ目が入れられた後、ニッピングローラ３７で支持されて鋸胴３８、折胴３９、咥胴４０に送られる。
【００４３】
一方、糊付け装置３５を使用するときには、図２に示す状態から、エアシリンダ４９によりアジロ刃４１を移動することで、アジロ刃４１が刃受位置にあるアジロ刃受５５の受け溝５９から離間する待機位置に位置決めすると共に、固定ボルト５８を弛緩することで、アジロ刃受５５を第２支持軸５１の軸方向に移動可能とし、このアジロ刃受５５を段付部５３ａの端面に当接し、この位置で固定ボルト５８により固定することで、待機位置に位置決めする。すると、アジロ刃４１は、アジロミシン装置３６を通過するウェブＷから離間すると共に、アジロ刃受５５は、アジロミシン装置３６を通過するウェブＷの糊付け位置ＰからこのウェブＷの幅方向にずれることとなる。
【００４４】
そのため、図６に示すように、フォーマ３１により縦折りが施されたウェブＷは、糊付け装置３５により背側に糊付けが施され、この糊付けされたウェブＷがアジロミシン装置３６のアジロ刃４１とアジロ刃受５５の間を通過するとき、アジロ刃４１がウェブＷから離間するために背側に切れ目を入れることはなく、また、アジロ刃受５５の受け溝５９がウェブＷの糊付け位置ＰからウェブＷの幅方向にずれており、この受け溝５９がウェブＷの糊により汚されることがない。その後、ウェブＷは、ニッピングローラ３７で支持されて鋸胴３８、折胴３９、咥胴４０に送られる。
【００４５】
このように本実施例のアジロミシン装置３６にあっては、外周部に周方向に沿って断続的な刃を有するアジロ刃４１を第１支持軸４５により回転自在に支持すると共に、外周部に周方向に沿ってアジロ刃４１に対向する受け溝５９を有するアジロ刃受５５を第１支持軸４５と平行な第２支持軸５１により回転自在に支持し、このアジロ刃受５５を、受け溝５９がアジロ刃４１に対向する刃受位置と、受け溝５９がアジロ刃４１から離間する待機位置とに移動自在に支持している。
【００４６】
従って、アジロミシン装置３６の使用時には、アジロ刃受５５を刃受位置に移動することで、受け溝５９がアジロ刃４１に対向する位置となり、ウェブＷは、アジロ刃４１とアジロ刃受５５との間を通過するとき、アジロ刃４１によりその背面側に断続的な切れ目が入れられる一方、不使用時には、アジロ刃受５５を待機位置に移動することで、受け溝５９がアジロ刃４１から離間する位置となり、例えば、ウェブＷに付着した糊によりアジロ刃受５５の受け溝５９が汚れることがなく、掃除などを不要として作業性を向上することができる。
【００４７】
また、本実施例のアジロミシン装置３６では、アジロ刃４１を、第１支持軸４５の径方向に対して、アジロ刃受５５の受け溝５９に入り込む加工位置と、受け溝５９から離間する待機位置に移動自在に支持している。従って、アジロミシン装置３６の使用時には、アジロ刃受５５を刃受位置に移動すると共に、アジロ刃４１を加工位置に移動することで、アジロ刃４１が受け溝５９に入り込む位置となり、ウェブＷは、アジロ刃４１とアジロ刃受５５との間を通過するとき、アジロ刃４１によりその背面側に断続的な切れ目が入れられる一方、不使用時には、アジロ刃４１及びアジロ刃受５５を待機位置に移動することで、アジロ刃４１が受け溝５９から離間すると共に、受け溝５９がウェブＷの幅方向にずれた位置となり、例えば、折帳に付着した糊によりアジロ刃が汚れることがなく、掃除などを不要として作業性を向上することができる。
【００４８】
また、本実施例では、アジロ刃受５５を刃受位置に位置決めするストッパとして、第２支持軸５１に支持部材５６を設けており、アジロ刃受５５を待機位置から刃受位置に移動するとき、支持部材５６の一端面５６ａに当接する位置に固定するだけで容易に位置決めを行うことができる。
【００４９】
この場合、第２支持軸５１に支持部材５６を着脱自在に装着すると共に、支持部材５６に隣接してアジロ刃受５５を移動自在に支持し、支持部材５６を第２支持軸５１に装着した状態で、アジロ刃受５５を一端面５６ａに当接した位置に固定することで、アジロ刃受５５を刃受位置に位置決めしている。従って、アジロ刃受５５を位置決めする支持部材５６を第２支持軸５１に着脱自在としたことで、この支持部材５６を交換するだけで、アジロ刃受５５における刃受位置を容易に変更することができる。即ち、折帳（ウェブＷ）の種類によっては、折帳の幅方向における中央部ではなく、幅方向のどちらか一方にずれた位置に切れ目を入れることがあり、この場合、支持部材５６を幅の異なるものに交換することで、アジロ刃受５５の固定位置を容易に変更することができ、多種の折り作業に応じて汎用性を向上することができる。
【００５０】
また、本実施例のアジロミシン装置３６では、アジロ刃受５５を２つの半円形状をなすリング部材５５ａ，５５ｂから構成し、各リング部材５５ａ，５５ｂが第２支持軸５１の外周部を囲繞するように連結し、連結ボルト５７により連結し、固定ボルト５８により第２支持軸５１における刃受位置または待機位置に固定しており、アジロ刃受５５の構造の簡素化及び第２支持軸５１への取付性を向上することができる。
【００５１】
更に、本実施例の折り装置並びに印刷機にあっては、アジロミシン装置３６のアジロ刃４１を加工位置と待機位置に移動可能とすると共に、アジロ刃受５５を刃受位置と待機位置に移動可能としており、アジロミシン装置３６を使用しないときは、アジロ刃４１及びアジロ刃受５５を待機位置に移動することで、受け溝５９がウェブＷの糊付け位置Ｐからは幅方向にずれた位置となり、このウェブＷに付着した糊によりアジロ刃受５５の受け溝５９が汚れることがなく、掃除などを不要として折り作業や印刷作業の作業性を向上することができる。
【００５２】
なお、上述した実施例では、フォーマ３１よりウェブＷの搬送方向下流側であって、鋸胴３８、折胴３９、咥胴４０よりウェブＷの搬送方向上流側に、糊付け装置３５及びアジロミシン装置３６を設けたが、この位置に限らず、鋸胴３８、折胴３９、咥胴４０よりウェブＷの搬送方向下流側に設けてもよい。
【産業上の利用可能性】
【００５３】
本発明に係るアジロミシン装置及び折り装置並びに印刷機は、アジロミシン装置のアジロ刃受を移動自在にすることで汚れを防止し、印刷作業の作業性の向上を図ったものであり、いずれの印刷機にも適用することができる。
【図面の簡単な説明】
【００５４】
【図１】本発明の一実施例に係るアジロミシン装置を表す概略図である。
【図２】本実施例のアジロミシン装置におけるアジロ刃及びアジロ刃受の平面図である。
【図３】図２のIII−III断面図である。
【図４】本実施例のアジロミシン装置における待機位置に移動したアジロ刃及びアジロ刃受の平面図である。
【図５】本実施例のアジロミシン装置が適用されたオフセット輪転印刷機を表す概略図である。
【図６】本実施例のアジロミシン装置が適用された折り装置を表す概略図である。
【符号の説明】
【００５５】
１１  給紙装置
１２  インフィード装置
１３  印刷装置
１４  乾燥装置
１５  冷却装置
１６  ウェブパス装置
１７  折り装置
１８  排紙装置
３５  糊付け装置
３６  アジロミシン装置
４１  アジロ刃
４５  第１支持軸
４９  エアシリンダ
５１  第２支持軸
５５  アジロ刃受
５５ａ，５５ｂ  リング部材
５６  支持部材
５６ａ  一端面（ストッパ）
５８  固定ボルト（固定手段）
５９  受け溝
【図１】
2008297102.tif 000003
【図２】
2008297102.tif 000004
【図３】
2008297102.tif 000005
【図４】
2008297102.tif 000006
【図５】
2008297102.tif 000007
【図６】
2008297102.tif 000008